(57)【要約】      （修正有）【課題】カレンダー用紙の裏面に記載されている画像がお気に入りである場合に、その画像が記載されている部分を切り取ってポスターとして使用可能とするカレンダーを提供する。【解決手段】壁面や柱等に設けられた保持突起５に掛け止め可能な保持孔が一辺側に設けられた矩形状の保持用紙２と、一辺側が保持用紙２に捲り上げ可能に取り付けられ、捲り上げた場合に保持突起５に掛け止めされる係止孔１０が他辺側に設けられ、表面に月日や曜日等のカレンダー情報が記載された矩形状の複数枚のカレンダー用紙３とを備える。カレンダー用紙３の裏面に写真や絵画等の画像７を記載し、カレンダー用紙３における保持用紙２への取付箇所に沿った位置に、このカレンダー用紙３を保持用紙２から切り取り可能な第１ミシン目１１を設ける。カレンダー用紙３における係止孔１０が設けられた側に、係止孔１０の設けられた領域を長尺状に切り取り可能な第２ミシン目１２を設ける。【選択図】図２
0003202345.tif 000002
【実用新案登録請求の範囲】
【請求項１】
壁面や柱等に設けられた保持突起に掛け止め可能な保持孔が一辺側に設けられた矩形状の保持用紙と、
一辺側が前記保持用紙に捲り上げ可能に取り付けられ、捲り上げた場合に前記保持突起に掛け止めされる係止孔が他辺側に設けられ、表面に月日や曜日等のカレンダー情報が記載された矩形状の複数枚のカレンダー用紙とを有し、
前記カレンダー用紙の裏面に写真や絵画等の画像が記載され、
前記カレンダー用紙における前記保持用紙への取付箇所に沿った位置に、このカレンダー用紙を前記保持用紙から切り取り可能な第１ミシン目が設けられ、
前記カレンダー用紙における前記係止孔が設けられた側に、前記係止孔の設けられた領域を長尺状に切り取り可能な第２ミシン目が設けられていることを特徴とするカレンダー。
【請求項２】
前記第１ミシン目と前記第２ミシン目とは平行に設けられ、前記カレンダー用紙における前記第１・第２ミシン目に挟まれた部分が矩形状であることを特徴とする請求項１記載のカレンダー。
【請求項３】
前記保持用紙は中央部に折曲部を有するクランク状に設けられ、前記カレンダー用紙は前記一辺側が前記折曲部に糊付けされて取り付けられていることを特徴とする請求項１又は２記載のカレンダー。
【考案の詳細な説明】
【技術分野】
【０００１】
本考案は、壁掛け式のカレンダーに関する。
【背景技術】
【０００２】
従来より、壁掛け式のカレンダーが広く使用されている（例えば、下記特許文献１参照）。壁掛け式のカレンダーは、月日や曜日等のカレンダー情報が記載された各月毎の複数枚のカレンダー用紙が保持用紙に取り付けられ、保持用紙には壁面や柱等に設けられた保持突起に掛け止めされる保持孔が設けられている。複数枚のカレンダー用紙はミシン目に沿って切り取り可能とされており、一カ月を経過するごとにその月のカレンダー用紙をミシン目に沿って切り取り、翌月のカレンダー用紙を表示させている。
【０００３】
また、各カレンダー用紙には、カレンダー情報が記載されるとともに様々な写真や絵画等の画像が記載されている場合があり、その画像はカレンダー利用者の目を楽しませている。
【先行技術文献】
【特許文献】
【０００４】
【特許文献１】特開２００５-２９７３５２号公報
【考案の概要】
【考案が解決しようとする課題】
【０００５】
しかしながら、各月のカレンダー用紙に記載された画像は、カレンダー利用者のお気に入りであってもその月が経過すると切り取られて破棄される運命であり、残念な場合がある。
【０００６】
本考案の目的は、カレンダー用紙に記載されている画像がお気に入りである場合に、カレンダー用紙におけるその画像が記載されている部分を切り取ってポスターとして使用することが容易である壁掛け式のカレンダーを提供するものである。
【課題を解決するための手段】
【０００７】
本考案に係るカレンダーは、壁面や柱等に設けられた保持突起に掛け止め可能な保持孔が一辺側に設けられた矩形状の保持用紙と、一辺側が前記保持用紙に捲り上げ可能に取り付けられ、捲り上げた場合に前記保持突起に掛け止めされる係止孔が他辺側に設けられ、表面に月日や曜日等のカレンダー情報が記載された矩形状の複数枚のカレンダー用紙とを有し、前記カレンダー用紙の裏面に写真や絵画等の画像が記載され、前記カレンダー用紙における前記保持用紙への取付箇所に沿った位置に、このカレンダー用紙を前記保持用紙から切り取り可能な第１ミシン目が設けられ、前記カレンダー用紙における前記係止孔が設けられた側に、前記係止孔の設けられた領域を長尺状に切り取り可能な第２ミシン目が設けられている。
【０００８】
前述のカレンダーにおいて、前記第１ミシン目と前記第２ミシン目とは平行に設けられ、前記カレンダー用紙における前記第１・第２ミシン目に挟まれた領域が矩形状であることが望ましい。
【０００９】
また、前述のカレンダーにおいて、前記保持用紙は中央部に折曲部を有するクランク状に設けられ、前記カレンダー用紙は前記一辺側が前記折曲部に糊付けされて取り付けられていることが望ましい。
【考案の効果】
【００１０】
本考案に係るカレンダーによれば、或る月のカレンダー用紙の表面に記載されたカレンダー情報と、捲り上げたその前月のカレンダー用紙の裏面に記載された画像とが表示されている。一カ月が経過してカレンダー情報が表示されているカレンダー用紙を捲り上げて次のカレンダー用紙の表面に記載されている翌月のカレンダー情報を表示させる場合において、その時まで表示されていた画像がお気に入りである場合には、そのお気に入りの画像が記載されているカレンダー用紙を第１ミシン目に沿って保持用紙から切り取るとともに、切り取ったカレンダー用紙における係止孔が設けられている領域を第２ミシン目に沿って長尺状に切り取る。これにより、カレンダー用紙における第１ミシン目と第２ミシン目との間に位置して画像が記載されている部分をポスターとして使用することが容易にでき、そのポスターを任意の場所に飾って観賞することができる。
【００１１】
また、第１・第２ミシン目に挟まれた部分が矩形状であるため、カレンダー用紙における第１・第２ミシン目に沿って切り取られた部分はポスターとして使用する場合に適した形状となり、カレンダー用紙における第１・第２ミシン目に沿って切り取られた部分をポスターとして飾り易くすることができる。
【００１２】
また、前述のカレンダーにおいて、保持用紙は中央部に折曲部を有するクランク状に形成され、カレンダー用紙は一辺側が折曲部に糊付けされているので、カレンダー用紙を捲り上げた場合に、カレンダー用紙を糊付けされた部分において約１８０°に折り返して係止孔を保持突起に掛け止めすることが可能となり、捲り上げたカレンダー用紙の裏面に記載された画像とその下方に位置する翌月のカレンダー用紙の表面に記載されたカレンダー情報とを上下に位置させて見栄え良く表示することができる。
【図面の簡単な説明】
【００１３】
【図１】壁面に設けられた保持突起に吊り下げられ、１枚目のカレンダー用紙に記載された前年の１２月のカレンダー情報が表示されているカレンダーを示す斜視図である。
【図２】１枚目のカレンダー用紙が捲り上げられ、２枚目のカレンダー用紙に記載された１月のカレンダー情報が表示されるとともに、１枚目のカレンダー用紙の裏面に記載された画像が表示されているカレンダーを示す斜視図である。
【図３】１枚目のカレンダー用紙の裏面に記載された画像の部分が第１・第２ミシン目に沿って切り取られ、ポスターとして使用される場合の正面図である。
【考案を実施するための形態】
【００１４】
本考案の一実施の形態を図面に基づいて説明する。図１は、カレンダー１を示す斜視図であり、このカレンダー１は、保持用紙２と保持用紙２に取り付けられた複数枚（例えば、１２枚）のカレンダー用紙３とを有している。
【００１５】
保持用紙２は、矩形状の用紙の中央部に折曲部４を有するクランク状に設けられ、この保持用紙２の一辺側には壁面や柱等に設けられた保持突起５に掛け止め可能な保持孔６が設けられている。そして、保持突起５に保持孔６を掛け止めすることにより、カレンダー１は壁掛け状態に吊り下げられる。
【００１６】
カレンダー１を壁掛け状態に吊り下げた場合、折曲部４を挟んだ上部側に位置する上部領域には、各カレンダー用紙３の裏面に記載されている後述する写真や絵画等の画像７の一覧を縮小して表示した画像一覧８が記載されている。また、折曲部４を挟んだ下部側に位置する下部領域には、このカレンダー１により表示される最終月（１２月）に関する月日や曜日等のカレンダー情報が記載されている。
【００１７】
カレンダー用紙３は、保持用紙２の略半分のサイズの矩形状に形成され、一辺側が保持用紙２の折曲部４の下側面に糊付けされ、その糊付け部の回りに捲り上げ可能に取り付けられている。折曲部４に取り付けられた複数枚（１２枚）のカレンダー用紙３において、その表面には各月の月日や曜日等のカレンダー情報９が記載され、その裏面には写真や絵画等の画像７が記載されている。カレンダー情報９については、１枚目のカレンダー用紙３の表面には前年の１２月のカレンダー情報９が記載され、２枚目のカレンダー用紙３の表面には今年の１月のカレンダー情報９が記載され、３枚目のカレンダー用紙３の表面には今年の２月のカレンダー情報９が記載されて、以下、４枚目のカレンダー用紙３から１２枚目のカレンダー用紙３の表面には、それぞれ今年の３月から１１月のカレンダー情報９が記載されている。
【００１８】
また、各カレンダー用紙３には、カレンダー用紙３を捲り上げた場合に保持突起５に掛け止め可能な係止孔１０が、折曲部４に取り付けられた一辺側と反対側の他辺側に設けられている。
【００１９】
また、各カレンダー用紙３には、第１ミシン目１１と第２ミシン目１２とが設けられている。第１ミシン目１１は、カレンダー用紙３における折曲部４への取付箇所に沿った位置に直線状に設けられ、カレンダー用紙３はこの第１ミシン目１１に沿って保持用紙２から切り取り可能とされている。第２ミシン目１２は、カレンダー用紙３における係止孔１０が設けられた側に位置して直線状に設けられ、カレンダー用紙３における係止孔１０が設けられた領域は、第２ミシン目１２に沿ってカレンダー用紙３から長尺状に切り取り可能とされている。これらの第１ミシン目１１と第２ミシン目１２とは平行に設けられ、カレンダー用紙３における第１・第２ミシン目１１、１２に沿って切り取られて画像７が記載されている部分は矩形状になる。
【００２０】
図２は、１枚目のカレンダー用紙３を捲り上げて係止孔１０を保持突起５に掛け止めした状態である。この状態において、２枚目のカレンダー用紙３の表面に記載されている１月のカレンダー情報９が表示されるとともに、１枚目のカレンダー用紙３の裏面に記載されている画像７が表示される。
【００２１】
図３は、１枚目のカレンダー用紙３を第１・第２ミシン目１１、１２に沿って切り取り、カレンダー用紙３における画像７が記載されている部分をポスターとして使用する場合の正面図である。
【００２２】
このような構成において、このカレンダー１では、１月には図２に示すように、１枚目のカレンダー用紙３が捲り上げられてそのカレンダー用紙３の係止孔１０が保持突起５に掛け止めされている。そして、２枚目のカレンダー用紙３の表面に記載されている１月のカレンダー情報９が表示されるとともに、１枚目のカレンダー用紙３の裏面に記載されている画像７が表示されている。
【００２３】
カレンダー用紙３は、保持用紙２の折曲部４に糊付けされているので、カレンダー用紙３を捲り上げた場合にそのカレンダー用紙３を糊付けされた部分において約１８０°に折り返して係止孔１０を保持突起５に掛け止めすることが可能となり、カレンダー用紙３の裏面に記載された画像７とその下方に位置する翌月のカレンダー用紙３の表面に記載されたカレンダー情報９とを上下に位置させて見栄え良く表示することができる。
【００２４】
２月になった場合には、２枚目のカレンダー用紙３が捲り上げられ、３枚目のカレンダー用紙３の表面に記載されている２月のカレンダー情報９が表示されるとともに、捲り上げた２枚目のカレンダー用紙３の裏面に記載されている画像７が表示される。
【００２５】
ここで、１枚目のカレンダー用紙３の裏面に記載されている画像７がお気に入りである場合には、２枚目のカレンダー用紙３を捲り上げる前に、１枚目のカレンダー用紙３を第１ミシン目１１に沿って保持用紙２から切り取り、さらに、そのカレンダー用紙３における係止孔１０が設けられている領域を第２ミシン目１２に沿って長尺状に切り取る。これにより、カレンダー用紙３における第１ミシン目１１と第２ミシン目１２との間の部分を、図３に示すように係止孔１０を有しない矩形状にすることができるとともにポスターとして使用することができるようになり、そのポスターを任意の場所に飾って観賞することができる。
【符号の説明】
【００２６】
１      カレンダー
２      保持用紙
３      カレンダー用紙
４      折曲部
５      保持突起
６      保持孔
７      画像
８      画像一覧
９      カレンダー情報
１０      係止孔
１１      第１ミシン目
１２      第２ミシン目
【図１】
0003202345.tif 000003
【図２】
0003202345.tif 000004
【図３】
0003202345.tif 000005